(57)【要約】【課題】簡単に所望の放射特性に調整できる平面構造によるアンテナ、特にパッチアンテナを提供する。【解決手段】改良された平面構造によるアンテナ、特にパッチアンテナ(1)は、導電性測定面(2)；測定面(2)上に配置される第一の比誘電率を有する第一の誘電基板層(3)；第一の誘電基板層(3)上に配置され、導電性の給電ライン(5)の一端(5a)と電気的に接続される少なくとも一つの導電性放射面(4)；放射面(4)上に配置される少なくとも一つの第二の比誘電率を有する第二の誘電基板層(6)；第二の比誘電率が、第一の比誘電率より大きいか等しい特徴を含む。【選択図】図１
2007531436.tif 000002
【特許請求の範囲】
【請求項１】
導電性の測定面(2)と、
測定面(2)上に配置される第一の比誘電率を有する第一の誘電基板層(3)と、
第一の誘電基板層(3)上に配置されかつ導電性の給電ライン(5)の一端(5a)と電気的に接続される少なくとも一つの導電性放射面(4)と、
放射面(4)上に配置され、アンテナの最上層が好ましくは導電性放射面(4)から構成されずかつ／又は好ましくはアンテナの最上層が、第二の誘電基板層(6)から構成され又はこれを含む少なくとも一つの第二の比誘電率を有する第二の誘電基板層(6)とを含み、軸方向の軸(A)に沿って互いに重なって配置された複数の面及び層を備えた平面構造によるアンテナ、特にパッチアンテナにおいて、
第二の比誘電率が、第一の比誘電率より大きいか等しいことを特徴とするアンテナ。
【請求項２】
第一の比誘電率は、１と８の間である請求項１に記載のアンテナ。
【請求項３】
第二の比誘電率は、４と２０の間である請求項１又は２に記載のアンテナ。
【請求項４】
第一の誘電基板層(3)の厚さは、第二の誘電基板層(6)の厚さより大きいか等しい請求項１〜３の何れか１項に記載のアンテナ。
【請求項５】
第二の誘電基板層(6)の厚さは、第一の誘電基板層(3)の厚さの１０%より大きく、特に２０%より大きく、好ましくは３０%より大きく、特に好ましくは４０%より大きく若しくは６０%より大きく又は８０%より大きい請求項１〜４の何れか１項に記載のアンテナ。
【請求項６】
第一及び／又は第二の誘電基板層(3, 6)かつ／又は放射面(4)かつ／又は測定面(2)は、平面図にて軸方向に円形又は多角形として形成される請求項１〜５の何れか１項に記載のアンテナ。
【請求項７】
第一及び第二の誘電基板層(3, 6)は、平面図にて軸方向に異なる大きさを有する請求項１〜６の何れか１項に記載のアンテナ。
【請求項８】
第一の誘電基板層(3)の縁部は、軸方向断面にて軸方向の軸(A)に対して斜めに延びる請求項１〜７の何れか１項に記載のアンテナ。
【請求項９】
給電ライン(5)は、測定面(2)及び第一の誘電基板層(3)を通って延びる開口(7)内に配置され、開口(7)の一端で放射面(4)に接続される請求項１〜８の何れか１項に記載のアンテナ。
【請求項１０】
第一及び／又は第二の誘電基板層(3,6)かつ／又は放射面(4)は、平面図にて軸方向に放射面(4)の一部領域を露出させ又は少なくとも部分的に放射面(4)を通って延びる一つ又はそれ以上のノッチ(8)を有する請求項１〜９の何れか１項に記載のアンテナ。
【請求項１１】
少なくとも一つのノッチ(8)は、平面図にて軸方向にアンテナ(1)の縁部(1a)に位置する開放端(8a)を有する請求項１０に記載のアンテナ。
【請求項１２】
開放端(8a)の長さは、縁部(1a)の全長の少なくとも１／２０かつたかだか半分になる請求項１１に記載のアンテナ。
【請求項１３】
少なくとも一つのノッチ(8)の開放端(8a)は、実質的にアンテナ(1)の縁部(1a)の中央領域に配置され、平面図にて軸方向に開放端(8a)からアンテナ(1)の内部にノッチ(8)が延びる請求項１１又は１２に記載のアンテナ。
【請求項１４】
少なくとも一つのノッチ(8)は、平面図にて軸方向にアンテナ(1)の角部領域に配置される請求項１０〜１３の何れか１項に記載のアンテナ。
【請求項１５】
少なくとも一つのノッチ(8)は、軸方向に第二の基板層(6)を通って放射面(4)まで延びて、ノッチが電気的給電ライン(5)の端部(5a)上にある請求項１０〜１４の何れか１項に記載のアンテナ。
【請求項１６】
一つ又はそれ以上のノッチ(8)は、平面図にて軸方向に実質的に多角形の形状を有しかつ／又は円形に形成される請求項１０〜１５の何れか１項に記載のアンテナ。
【請求項１７】
アンテナ(1)は、互いに重なって配置される複数の第一及び第二の誘電基板層(3, 6)と、その間に設けられる放射面(4)とを有する請求項１〜１６の何れか１項に記載のアンテナ。
【請求項１８】
ａ）  第一の比誘電率を有する第一の誘電基板層(3)を導電性の測定面(2)上に配置する工程と、
ｂ）  第一の誘電基板層(3)上に導電性の放射面(4)を配置し、導電性の給電ライン(5)の一端(5a)に電気的に接続する工程と、
ｃ）  アンテナの最上層が、第二の誘電基板層(6)であるか又はこれを含むように、第二の比誘電率を有する第二の誘電基板層(6)を放射面(4)上に配置する工程とを含み、
軸方向の軸(A)に沿って互いに重なって配置された複数の面及び層を備えた平面構造によるアンテナ、特にパッチアンテナを製造方法において、
第二の比誘電率が、第一の比誘電率より大きいか等しいことを特徴とするアンテナの製法。
【請求項１９】
工程ａ）からｃ）の実施後に、第一及び／又は第二の誘電基板層(3,6)かつ／又は放射面(4)に一つ又はそれ以上のノッチ(8)を設ける工程を含む請求項１８に記載の製法。
【発明の詳細な説明】
【技術分野】
【０００１】
本発明は、平面構造によるアンテナ、特にパッチアンテナ、及びこの種のアンテナの製法に関する。
【背景技術】
【０００２】
パッチアンテナは、従来技術から公知である。この種のアンテナは、測定面に対向して配置される少なくとも一つの導電性放射面を含む。測定面と放射面との間に誘電基板が設けられる。放射面は、給電ラインに接続され、給電ラインに交流電圧が印加されたとき、電磁波を放射して、電磁場を形成する。
【０００３】
従来技術から、測定面と放射面との間に備えられた誘電基板層に加えて、その表面に放射面を保護する更なる基板層を設けることも公知である。この場合、パッチアンテナの放射特性が変化しないように、更なる基板層のために、小さな比誘電率を有する材料が使用される。
【０００４】
従来技術から公知であるパッチアンテナでは、固有の放射特性にアンテナを正確に調整できないことがある点で不利であることが判明した。
【０００５】
下記特許文献１は、下方の放射面と上方の放射面とを備え、上方の放射面が下方の放射面より小さな大きさを有するパッチアンテナを示す。アンテナの下方の放射面と測定面との間には、低い誘電率の第一の誘電基板層が設けられ、下方及び上方の放射面との間には、高い誘電率の第二の誘電基板層が設けられる。
【特許文献１】国際公開第０３／０７９４８８Ａ２号パンフレット
【発明の開示】
【発明が解決しようとする課題】
【０００６】
従って、本発明の課題は、簡単に所望の放射特性に調整できる平面構造によるアンテナ、特にパッチアンテナを提供することにある。更に、本発明の課題は、この種のアンテナの適宜の製法を提供することにある。
【課題を解決するための手段】
【０００７】
本発明では、独立請求項によりこの課題が解決される。本発明の更なる形態は、従属請求項に定義される。
【発明の効果】
【０００８】
本発明によるアンテナの導電性放射面に関して、アンテナの最上層として、第二の比誘電率を備えた第二の誘電基板層を設け、第二の比誘電率は、測定面と放射面との間に備えられた第一の誘電基板層の第一の比誘電率より大きいか等しい。この場合、本発明は、高い比誘電率を有する第二の基板層の使用によって、アンテナの放射特性が有利に影響されるとの技術的着想を根拠とする。これにより、簡単な方法で、所望の放射特性にアンテナを調整できる。特に、第二の誘電基板層は、保護層の機能を担当し得るだけでなく、アンテナの調整にも使用できることが判明した。
【０００９】
アンテナの好適な実施の形態では、第一の比誘電率は、１と８の間で選定される。第二の比誘電率は、好ましくは４と２０の間で選定される。
【００１０】
本発明によるアンテナの更なる変形例では、第一の誘電基板層の厚さが、第二の誘電基板層の厚さより大きいか等しい。
【００１１】
本発明によるアンテナの好適な実施形態では、第二の誘電基板層の厚さは、第一の誘電基板層の厚さの１０%より大きく、特に２０%よりも大きく、好ましくは３０%より大きく、特に好ましくは４０%より大きく若しくは６０%より大きく、又は８０%より大きい。さらに、第二の基板層の厚さは、好ましくは第一の基板層の厚さの２００%より小さく、特に１００%より小さく若しくは８０%より小さく又は６０%より小さい。
【００１２】
第一及び／又は第二の誘電基板層そして／又は放射面そして／又は測定面は、アンテナの平面図にて、好ましくは円形又は多角形として形成される。更に、第一及び第二の誘電基板層は、アンテナの平面図にて、異なる大きさを有してもよく、第一の誘電基板層の縁部は、軸方向断面にて軸方向の軸に対して斜めに延伸してもよい。前記手段により、同様に放射特性が影響される。
【００１３】
本発明の更なる変形例では、測定面及び第一の誘電基板層を通って延びる開口内に給電ラインを配置し、開口の一端で放射面と接触部で接続される。放射面への接触部の位置の変更により、アンテナの電気的特性及び放射特性が変更される。
【００１４】
本発明の特に好適な実施の形態では、第一及び／又は第二の誘電基板層かつ／又は放射面は、平面図にて、放射面の一部領域を露出させ又は少なくとも部分的に放射面を通って延びる一つ又はそれ以上のノッチを含む。このようなノッチの実装又は形成によって、パッチアンテナを簡単に調整できる更なる可能性が提供される。所望の放射特性に応じて、アンテナの種々の層から、材料を除去することができ、所望の調整が達成されるまで、材料の除去が継続される。
【００１５】
有利な実施の形態では、ノッチの少なくとも一つが一端で開口し、開口端が平面図でアンテナの一方の縁部に在る。この場合、開口端の長さは、縁部の全長の少なくとも１／２０でたかだか半分である。変形例では、開口端は、少なくとも一つのノッチから実質的にアンテナの縁部の中間領域に配置され、ノッチは、平面図にて、開口端からアンテナ内部に延びる。他の構成では、平面図にてアンテナの角部領域に少なくとも一つのノッチを配置できる。
【００１６】
本発明によるアンテナのさらなる実施の形態では、少なくとも一つのノッチが軸方向の軸の方向に第二の基板層を通って放射面にまで延伸し、ノッチは、平面図にて電気的な給電ラインの端部上に配置される。このノッチの位置決めによって、放射特性を特に有効に変化することができる。前記ノッチは、平面図にて好ましくはｎ角形又は円形の形状を有する。
【００１７】
本発明の特に好適な変形例では、アンテナは、互いに重なって配置される複数の第一及び第二の誘電基板層と、その間に在る放射面を備える多層構造に形成される。
【００１８】
ａ）第一の比誘電率の第一の誘電基板層を導電性測定面の上に配置する工程と、ｂ）第一の誘電基板層の上に導電性放射面を配置し、導電性の給電ラインに電気的に接続する工程と、ｃ）放射面の上にアンテナの最上層として、第一の比誘電率より大きいか等しい第二の比誘電率の第二の誘電基板層を配置する工程とを含む製法によって本発明によるアンテナを製造することが好ましい。
【００１９】
製法の特に好適な変形例では、段階ａ）からｃ）の実施後に、第一及び／又は第二の誘電基板層にかつ／又は放射面に一つ又はそれ以上のノッチが設けられる。このように、製造工程の終期に、アンテナの放射特性を簡単に変更できる。
【発明を実施するための最良の形態】
【００２０】
添付図面について本発明の実施の形態を以下説明する。
【００２１】
パッチ面の形態の放射面を介して電磁放射が行なわれる所謂パッチアンテナとしてのアンテナを以下に説明する。図１は、この種のパッチアンテナ形態の平面図を示す。その縁部を点線で示す長方形に形成されたパッチ面４の下面は、パッチ面に対して垂直に延びる給電ライン５に接続される。給電ライン５は、パッチ面に対して垂直ではなく、パッチ面に対して斜めに延伸してもよい。パッチ面の上側は、パッチ面４の上方に突出する長方形の基板面６により覆われる。
【００２２】
図２は、図１のパッチアンテナのＩ−Ｉ線に沿う断面図を示す。アンテナは、軸Ａの軸方向に沿って互いに重なって配置される多数の層を有する。最下層は、導電性の測定面２であり、測定面２の上に第一の誘電基板層３が設けられる。第一の誘電基板層３上には、導電性のパッチ面４が設けられ、パッチ面４は、導電性の給電ライン５の端部５ａに接続される。給電ライン５は、測定面２及び第一の基板層３を貫通する開口７内に配置され、パッチ面４の下面に接触する。パッチ面４の材料として、例えば銅等の高導電性材料が使用される。パッチ面４上には、第二の誘電基板層と以下に指称する誘電基板層６が設けられる。第一の誘電基板層３の厚さｈ１は、好ましくは２〜１０mmであり、第二の誘電基板層６の厚さｈ２は、好ましくは０.５〜５mmである。厚さｈ２は、好ましくは厚さｈ１の１０%より大きく、特に２０%より大きく、好ましくは３０%より大きく、特に好ましくは４０%より大きく若しくは６０%より大きく又は８０%より大きい。更に、厚さｈ２は、好ましくは厚さｈ１の２００%より小さく、特に１００%より小さく若しくは８０%より小さく又は６０%より小さい。給電ライン５には電圧が印加され、パッチ面４は、共振器として機能し、電磁波を放射して電磁場を形成する。
【００２３】
従来技術では、第二の誘電基板層６は、保護のためにのみ設けられ、パッチアンテナの電気的特性に影響を与えるべきではない。従って、第二の誘電基板層の材料としては、非常に小さな比誘電率の材料が選択される。これに対して、本発明では、第二の誘電基板層のために、少なくとも第一の誘電基板層３の誘電率とちょうど同じである高い誘電率の材料が選択される。誘電率のこの選択により、パッチアンテナの放射特性を能動的に影響させることができ、パッチアンテナの製造中に、誘電率の適宜の選択によって放射特性を良好に微調整できる技術的着想を根拠とする。
【００２４】
図３は、本発明によるパッチアンテナの更なる実施の形態の断面図を示す。図３のパッチアンテナは、第二の誘電基板層の幅ｄ２が第一の誘電基板層の幅ｄ１より小さい差異を除き、図２のパッチアンテナと基本的に同じである。このように、パッチアンテナの放射特性に同様に影響を与えることができる。
【００２５】
図４は、本発明によるパッチアンテナの他の構成の断面図を示し、第一の誘電基板層３の上面及び下面が同じ大きさではなく、下面と上面との間で斜めの縁部３ａを下面に対して角度αで延伸させることによって、放射特性を更に微調整することができる。
【００２６】
図５には、アンテナの放射特性の更なる影響をノッチ８により作用させ、ノッチ８が第二の誘電基板層６の上側からパッチ面４の上側まで延びる本発明によるパッチアンテナの一実施の形態の平面図を示す。ノッチ８は、パッチアンテナの上縁１ａの一部と重なる開放端８ａを有する。ノッチ幅ａ１は、好ましくは上縁１ａの全長の少なくとも１／２０に、好ましくは上縁１ａの全長のたかだか半分になる。パッチ面４の少なくとも一部を露出するように、ノッチ８の長さｂ１は、選定される。図５には、ノッチ８により露出されるパッチ面の上側領域を影線により示す。
【００２７】
図５Ａは、図５に示すノッチのＩＩ−ＩＩ線に沿う断面図を示す。第二の誘電基板層６の材料のみがパッチ面４の上側まで除去されてノッチ８が形成されることが特に明らかである。従って、左縁部では第二の誘電基板層６の材料を通り、右縁部ではパッチ面４を通って、ノッチ８の底部が形成される。パッチ面４の材料及び第二の誘電基板層６の別の材料を除去してノッチ８を形成してもよい。図５Ｂに示すように、例えば第二の誘電基板層６の全材料及びパッチ面４を除去できるので、ノッチ８の底部は、第一の誘電基板層３の材料から構成される。同様に、第一の誘電基板層３内にのみノッチ８を延伸させ又は第一の誘電基板層３に追加してノッチ８を延伸させて、例えばパッチ面４の下側を露出させてもよい。
【００２８】
図６は、パッチアンテナの左上の角にてノッチ８により放射特性が影響される本発明によるパッチアンテナの更なる実施の形態の平面図を示す。ノッチ８は、実質的に三角形であり、ノッチ８の二つの側縁がアンテナの縁部と重なる。その際、ノッチ８が少なくともパッチ面４の一部を露出さるように、三角形の辺の長さａ２及びｂ２が選定され、露出する部分を同様に影線で示す。
【００２９】
図５及び図６の実施の形態では、第二の誘電基板層６内にノッチ８を設けるが、パッチ面４及び第一の誘電基板層３内にもノッチ８を延伸させてもよい。また、第一の誘電基板層３及び／又はパッチ面４に連続してノッチ８を設けてもよい。パッチ面４の上側又は下側の一部が露出され又はパッチ面４の一部が除去されるように、ノッチ８を構成する点が重要である。
【００３０】
図７は、パッチ面４の横断面の内部領域にノッチ８を配置して、第二の誘電基板層６を通ってパッチ面４の上側まで延びる本発明によるパッチアンテナの更なる変形例を示す平面図である。パッチ面４のノッチ８により露出される領域を同様に影線で示す。その際、平面図にて給電ライン５上に配置されるように、ノッチ８が選定される。この構成により、パッチアンテナの放射特性を特に有効に変更できる。
【００３１】
図５〜図７に示すパッチアンテナを製造する際に、まず連続する第一の誘電基板層３及び第二の誘電基板層６に連続するパッチ面４を有するパッチアンテナを製造する点に注目すべきである。その後、まず製造工程の終期に誘電基板層又はパッチ面に適宜のノッチ８が設けられる。ノッチ８を徐々に実装し又は形成して、形成中間段階でどの程度放射特性が変化したかを常にチェックすることが好ましい。所望の放射特性が達成されると、直ちに放射特性監視工程が終了される。例えば、まずパッチ面４のみを露出するように、ノッチ８が設けられる。これにより、パッチアンテナの放射特性が十分に変化しなければ、パッチ面４自体から更に材料を除去し又は完全な部分領域をパッチ面４から切り出す場合もあり、第一の誘電基板層３にまでノッチ８を延伸させることができる。
【００３２】
図８は、図２と同様のパッチアンテナの断面図を示す。図８では、付加的に内側導体２１ａと外側導体２１ｂを備える同軸接続ライン２１が設けられる。導電性の外側導体２１ｂは、一般に少なくとも下方の測定面２まで導出され、（外側導体の外周を包囲する）導出位置２３で、測定面２とガルヴァーニ電気的に接触され、通常通りハンダ付けされる。
【００３３】
その際、外側導体２１ｂの端部を超えて内側導体２１ａを突出させて、測定面２上に導かれ得る。この場合、内側導体２１ａの上端５ａは、位置２５でパッチ面４とガルヴァーニ電気的に接続することができる（この場合も通常通りハンダ付けされ）。従って、図１〜図７による所謂給電ライン５を内側導体２１ａにより形成することができる。
【００３４】
しかしながら、同様に、上方のパッチ面４から第一の誘電基板層３を通って延びる通路状の開口７を通って、給電ライン５が延伸し、給電ライン５の下端は、例えば同軸ライン２１の内側導体２１ａに電気的に接続することができる。
【００３５】
同様に、例えば、特に下方の測定面２の高さで、固定して設ける同軸接続部の外側導体を測定面２に接続し、内側導体を給電ライン５に接続することができる。従って、同軸接続部で適宜の同軸ケーブル２１を接続でき、同様に、同軸ケーブル２１の端部に設ける同軸接続部をアンテナ装置に備えられる同軸ケーブル接続部に接続することが好ましい。
【図面の簡単な説明】
【００３６】
【図１】本発明によるアンテナの一実施の形態を示す平面図
【図２】図１のアンテナのＩ−Ｉ線に沿う断面図
【図３】本発明によるアンテナの他の実施の形態を示す図２と同様の断面図
【図４】本発明によるアンテナの別の変形例を示す図２と同様の断面図
【図５】アンテナの縁部にノッチを備えた本発明によるアンテナの一実施の形態を示す平面図
【図５Ａ】図５に示すノッチの図５のＩＩ−ＩＩ線に沿う断面図
【図５Ｂ】アンテナのノッチの他の実施の形態を示す図５Ａと同様の断面図
【図６】アンテナの角部領域にノッチを設けた本発明によるアンテナの一実施の形態を示す平面図
【図７】アンテナの内側に円形のノッチを備えた本発明によるアンテナの他の実施形態を示す平面図
【図８】同軸ラインの接続構造を示す図２と同様の横断面図
【符号の説明】
【００３７】
１・・パッチアンテナ、  ２・・測定面、  ３・・第一の誘電基板層、  ４・・パッチ面、  ５・・給電ライン、  ６・・第二の誘電基板層、  ７・・開口、  ８・・ノッチ、  ２１・・同軸接続ライン、
【図１】
2007531436.tif 000003
【図２】
2007531436.tif 000004
【図３】
2007531436.tif 000005
【図４】
2007531436.tif 000006
【図５】
2007531436.tif 000007
【図５Ａ】
2007531436.tif 000008
【図５Ｂ】
2007531436.tif 000009
【図６】
2007531436.tif 000010
【図７】
2007531436.tif 000011
【図８】
2007531436.tif 000012
【手続補正書】
【提出日】平成17年12月23日(2005.12.23)
【手続補正１】
【補正対象書類名】特許請求の範囲
【補正対象項目名】全文
【補正方法】変更
【補正の内容】
【特許請求の範囲】
【請求項１】
導電性の測定面(2)と、
測定面(2)上に配置される第一の比誘電率を有する第一の誘電基板層(3)と、
第一の誘電基板層(3)上に配置されかつ導電性の給電ライン(5)の一端(5a)と電気的に接続される少なくとも一つの導電性放射面(4)と、
放射面(4)上に配置され、アンテナの最上層が好ましくは導電性放射面(4)から構成されずかつ／又は好ましくはアンテナの最上層が、第二の誘電基板層(6)から構成され又はこれを含む少なくとも一つの第二の比誘電率を有する第二の誘電基板層(6)とを含み、
第二の比誘電率は、第一の比誘電率より大きいか等しく、軸方向の軸(A)に沿って互いに重なって配置される複数の面及び層を備えた平面構造によるアンテナ、特にパッチアンテナにおいて、
第二の誘電基板層(6)内に少なくとも一つのノッチ(8)を設け、
少なくとも一つのノッチ(8)は、第二の基板層(6)内で軸方向に第二の放射面(4)まで延伸し、
少なくとも一つのノッチ(8)は、電気的給電ライン(5)の一端(5a)上に形成されることを特徴とするアンテナ。
【請求項２】
第一の比誘電率は、１と８の間である請求項１に記載のアンテナ。
【請求項３】
第二の比誘電率は、４と２０の間である請求項１又は２に記載のアンテナ。
【請求項４】
第一の誘電基板層(3)の厚さは、第二の誘電基板層(6)の厚さより大きいか等しい請求項１〜３の何れか１項に記載のアンテナ。
【請求項５】
第二の誘電基板層(6)の厚さは、第一の誘電基板層(3)の厚さの１０%より大きく、特に２０%より大きく、好ましくは３０%より大きく、特に好ましくは４０%より大きく若しくは６０%より大きく又は８０%より大きい請求項１〜４の何れか１項に記載のアンテナ。
【請求項６】
第一及び／又は第二の誘電基板層(3, 6)かつ／又は放射面(4)かつ／又は測定面(2)は、平面図にて軸方向に円形又は多角形として形成される請求項１〜５の何れか１項に記載のアンテナ。
【請求項７】
第一及び第二の誘電基板層(3, 6)は、平面図にて軸方向に異なる大きさを有する請求項１〜６の何れか１項に記載のアンテナ。
【請求項８】
第一の誘電基板層(3)の縁部は、軸方向断面にて軸方向の軸(A)に対して斜めに延びる請求項１〜７の何れか１項に記載のアンテナ。
【請求項９】
給電ライン(5)は、測定面(2)及び第一の誘電基板層(3)を通って延びる開口(7)内に配置され、開口(7)の一端で放射面(4)に接続される請求項１〜８の何れか１項に記載のアンテナ。
【請求項１０】
第二の基板層(6)を通って放射面(4)まで延びて電気的給電ライン(5)の一端(5a)上に配置される少なくとも一つのノッチ(8)は、パッチ面(4)内に配置される請求項１〜９の何れか１項に記載のアンテナ。
【請求項１１】
第一及び／又は第二の誘電基板層(3,6)かつ／又は放射面(4)は、平面図にて軸方向に放射面(4)の一部領域を露出させ又は少なくとも部分的に放射面(4)を通って延びる一つ又はそれ以上のノッチ(8)を有する請求項１〜１０の何れか１項に記載のアンテナ。
【請求項１２】
少なくとも一つのノッチ(8)は、平面図にて軸方向にアンテナ(1)の縁部(1a)に位置する開放端(8a)を有する請求項１１に記載のアンテナ。
【請求項１３】
開放端(8a)の長さは、縁部(1a)の全長の少なくとも１／２０かつたかだか半分になる請求項１２に記載のアンテナ。
【請求項１４】
少なくとも一つのノッチ(8)の開放端(8a)は、実質的にアンテナ(1)の縁部(1a)の中央領域に配置され、平面図にて軸方向に開放端(8a)からアンテナ(1)の内部にノッチ(8)が延びる請求項１２又は１３に記載のアンテナ。
【請求項１５】
少なくとも一つのノッチ(8)は、平面図にて軸方向にアンテナ(1)の角部領域に配置される請求項１１〜１４の何れか１項に記載のアンテナ。
【請求項１６】
一つ又はそれ以上のノッチ(8)は、平面図にて軸方向に実質的に多角形の形状を有しかつ／又は円形に形成される請求項１〜１５の何れか１項に記載のアンテナ。
【請求項１７】
アンテナ(1)は、互いに重なって配置される複数の第一及び第二の誘電基板層(3, 6)と、その間に設けられる放射面(4)とを有する請求項１〜１６の何れか１項に記載のアンテナ。
【請求項１８】
基板層(6)が放射面(4)上に突出して、放射面(4)の上側が第二の誘電基板層(6)により覆われる請求項１〜１７の何れか１項に記載のアンテナ。
【国際調査報告】
2007531436.tif 000013
2007531436.tif 000014
2007531436.tif 000015
2007531436.tif 000016
2007531436.tif 000017
2007531436.tif 000018